(57)【要約】【課題】滑動部及び支持台を一体として移動させるギヤ列の減速比を小さくでき、動作スピードが速くなる記憶媒体装着装置を提供する。【解決手段】ｉＶＤＲ１０が装着されるスライダー６と、スライダー６が滑動可能に支持されるスライドシャーシ４と、ベースシャーシに設けられてある、ｉＶＤＲ１０に接続されるコネクタ８を有するコネクタ基板７２とを備え、モータ１２に駆動されるギヤ機構１４と、ギヤ機構１４と直結してスライドシャーシ４を移動させること又はスライドシャーシ４の停止を維持させることが可能な複動機構５０とを備える。【選択図】図８
2008097674.tif 000002
【特許請求の範囲】
【請求項１】
記憶媒体が装着される滑動部及び該滑動部を滑動可能に支持する支持台を備える記憶媒体装着装置において、
アクチュエータに駆動されるギヤと、
該ギヤと直結して前記支持台を移動させる又は前記支持台の停止を維持させる複動機構と、
を備えることを特徴とする記憶媒体装着装置。
【請求項２】
前記複動機構は、
前記ギヤと直結して直線運動する駆動部と、
該駆動部を前記支持台に係止する係止部と、
該係止部と係合可能であり、前記駆動部の直線運動を吸収して前記支持台の停止を維持させる停止維持部と、
前記駆動部を掛止する掛止爪が形成されてある掛止部と、
を有しており、
該掛止部は、前記支持台に回動可能に軸支されるとともに、前記記憶媒体の装着方向に付勢されてあることを特徴とする請求項１に記載の記憶媒体装着装置。
【請求項３】
前記停止維持部は、前記駆動部に設けられており、前記支持台の移動方向に長い長孔であることを特徴とする請求項２に記載の記憶媒体装着装置。
【請求項４】
前記滑動部及び前記支持台を一体的移動可能に支持するとともに、前記掛止部の掛止を解除する解除部が突設されたシャーシを有し、
前記掛止部は、前記解除部に当接する段部を有し、
前記支持台が移動する間、前記掛止爪が前記駆動部を掛止しており、
前記段部が前記解除部に当接することにより前記掛止部が回動して前記駆動部の掛止を解除するようにしてあることを特徴とする請求項２又は３に記載の記憶媒体装着装置。
【請求項５】
前記シャーシは前記記憶媒体に接続されるコネクタを有しており、
前記支持台を前記記憶媒体の取出方向に移動させて前記コネクタが外れるまで、前記掛止部が前記駆動部を掛止してあることを特徴とする請求項４に記載の記憶媒体装着装置。
【請求項６】
前記複動機構は、前記支持台を前記記憶媒体の取出方向に移動させて前記コネクタが外れた後、前記支持台の移動に連動して前記掛止部を回動させて前記駆動部の掛止を解除するようにしてあることを特徴とする請求項５に記載の記憶媒体装着装置。
【請求項７】
前記複動機構は、前記駆動部を前記記憶媒体の装着方向に付勢してある弾性部を有しており、
該弾性部は、前記記憶媒体のコネクタが外れている前記支持台の移動による負荷に打ち勝つ付勢力を有することを特徴とする請求項５又は６に記載の記憶媒体装着装置。
【請求項８】
前記支持台は、前記滑動部の該支持台に対する滑動域に設けられた底部と、該底部から延出して前記複動機構が配設された延出部とを有し、
前記駆動部が前記延出部の略中央部に設けられていることを特徴とする請求項２乃至７のいずれか一つに記載の記憶媒体装着装置。
【請求項９】
前記シャーシは、
イジェクトスイッチと、
前記ギヤと係合可能で、前記イジェクトスイッチを作動させる作動レバーと、
該作動レバーと連動して移動するイジェクトレバーと、
該イジェクトレバーに突設されたピンと、
を有し、
前記支持台は、前記滑動部の滑動にロックをして該滑動部の滑動を禁止する禁止位置になるように付勢されたロックレバーを有し、
前記支持台の移動と連動した前記作動レバーの移動により、前記イジェクトレバーが移動して、前記ピンが前記ロックレバーと係合して前記ロックを解除するようにしており、
前記アクチュエータの一方向への作動が前記ギヤにより伝達されて前記作動レバーが移動して、前記イジェクトスイッチを作動させることにより、前記アクチュエータが逆方向に作動し、前記作動レバーの逆移動と連動して前記イジェクトレバーが逆移動して前記ピンと前記ロックレバーとの係合を解き、付勢力により前記ロックレバーが前記禁止位置に復帰するようにしてあることを特徴とする請求項４乃至８のいずれか一つに記載の記憶媒体装着装置。
【発明の詳細な説明】
【技術分野】
【０００１】
本発明は、記憶媒体を自動的に脱着することが可能な記憶媒体装着装置に関する。
【背景技術】
【０００２】
近年、大容量の記憶媒体としてブルーレイディスク及びＨＤ−ＤＶＤ等の光記憶媒体と共に、磁気記憶媒体であるリムーバブルハードディスクが注目されている。リムーバブルハードディスクの規格には、例えばｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）、ｉＶＤＲ  ｍｉｎｉ及びｉＶＤＲ  ｍｉｃｒｏ等がある。これらのリムーバブルハードディスクは、矩形板状をなす合成樹脂製の筐体内に２．５インチ、１．８インチ又は１．０インチ等の小型のハードディスクを収納したものであり、筐体の一の面には機器と接続を行うための接続端子が設けられ、この接続端子を介してパーソナルコンピュータ又はビデオレコーダ等の電気機器との間でデータの授受を行うようにしてある。
【０００３】
リムーバブルハードディスクを利用してデータの記憶を行う電気機器には、リムーバブルハードディスクを装着するための装着装置が備えられており、記憶媒体の装着装置に関して種々の発明が提案されている。
【０００４】
例えば、特許文献１においては、装置本体から突出するエジェクト釦を備え、エジェクト釦を押し込んで記憶媒体を取り出すようにしてある装着装置において、記憶媒体が装着された状態ではエジェクト釦が突出せず、記憶媒体が装着されていない状態でのみエジェクト釦が突出する構成とすることによって、誤操作を防止できる装着装置が提案されている。
【０００５】
特許文献１に記載の装着装置は、記憶媒体の装着及び離脱をユーザの押圧力により行うものであるが、近年の装着装置では、記憶媒体の装着及び離脱を自動的に行う機構、所謂オートローディング機構を搭載していることが好ましい。
【特許文献１】特開２００４−１６５０７１号公報
【発明の開示】
【発明が解決しようとする課題】
【０００６】
ところで、この種のオートローディング機構を搭載した記憶媒体装着装置では、モータによりカムを含むギヤ列で、記憶媒体を搭載したトレイをスライド駆動する駆動レバーに動力を伝達するため、カムと駆動レバーとのレバー比によりローディングのスピードが変動又は減少し、ギヤのみによるトルクの伝達よりロスが発生し易いという問題がある。
したがって、駆動レバーに動力を伝達する場合、モータのウォームからカムまでの減速比としては、大きな減速比が必要となり、パワーが必要である。
【０００７】
この種のオートローディング機構で減速比を小さくするには、モータのサイズを大きくすることによってパワーアップとなるようなものを選定すべきであるが、記憶媒体装着装置のサイズが決まっているため、大きいモータを選定することはできない。
したがって、減速比が大きくなる分トレイ動作のスピードが遅くなり、レスポンスが遅いという解決すべき課題がある。
このようにカムを含むギヤ列を有するオートローディング機構を搭載した記憶媒体装着装置では、記憶媒体の脱着の動作応答を良くするためには、トレイをスライド駆動させるためのギヤ列の減速比を極力小さくする必要がある。
なお、特許文献１には斯かる課題を解決するための手段が開示されていない。
【０００８】
本発明は、このような事情に鑑みてなされたものであって、その目的とするところは、アクチュエータに駆動されるギヤに直結した複動機構を備えることにより、滑動部及び支持台（トレイに相当）を一体として移動させるギヤの減速比を小さくでき、動作スピードが速くなる記憶媒体装着装置を提供することにある。
【０００９】
また本発明の他の目的とするところは、ギヤの回動により駆動部が移動しても、支持台が移動しないようにしてある複動機構を備えることにより、コネクタの脱着力の有無に応じて支持台を効果的に移動させることができる記憶媒体装着装置を提供することにある。
【００１０】
さらに本発明の他の目的とするところは、駆動部が移動しても支持台を停止したままにする停止維持部を長孔とする構成を備えることにより、駆動部の移動範囲（複動範囲）を長孔の長さで制限することができる記憶媒体装着装置を提供することにある。
【００１１】
本発明の他の目的とするところは、駆動部の掛止を解除する解除部が掛止部の段部に当接するまで掛止してある構成を備えることにより、支持台の移動に対応して駆動部の掛止を維持すること又は解除することができる記憶媒体装着装置を提供することにある。
【００１２】
本発明の他の目的とするところは、記憶媒体のコネクタの脱着力の有無に応じて複動機構が働く構成を備えることにより、コネクタの脱着力が作用している間は、駆動部を係止部及び掛止部で支持台に確実に係合させて支持台を効果的に移動させることができる記憶媒体装着装置を提供することにある。
【００１３】
本発明の他の目的とするところは、記憶媒体のコネクタの脱着力の有無に応じて複動機構が働く構成を備えることにより、コネクタの脱着力がない間は、駆動部を係止部だけで支持台に係合させて支持台を効果的に移動させることができる記憶媒体装着装置を提供することにある。
【００１４】
本発明の他の目的とするところは、コネクタの脱着力がなくなった状態に対応して、支持台の移動時の負荷に打ち勝つ付勢力を有する弾性部を備える構成とすることにより、弾性部の付勢力で支持台を駆動部と一体で移動させることができる記憶媒体装着装置を提供することにある。
【００１５】
本発明の他の目的とするところは、駆動部を延出部の略中央部に設ける構成を備えることにより、支持台の動きが滑らかな記憶媒体装着装置を提供することにある。
【００１６】
本発明の他の目的とするところは、一体的滑動部及び支持台を排出中に支持台のロックレバーが滑動部のロックを解除した後、アクチュエータを逆作動させる構成を備えることにより、ロックレバーを元のロック可能位置に戻すことができる記憶媒体装着装置を提供することにある。
【課題を解決するための手段】
【００１７】
本発明の記憶媒体装着装置は、記憶媒体が装着される滑動部及び該滑動部を滑動可能に支持する支持台を備える記憶媒体装着装置において、アクチュエータに駆動されるギヤと、該ギヤと直結して前記支持台を移動させる又は前記支持台の停止を維持させる複動機構と、を備えることを特徴とする。
【００１８】
このような構成の本発明の記憶媒体装着装置では、ギヤの回動が直接に複動機構の例えば駆動部を駆動し直線運動に変換して、支持台が正逆方向に移動する。
また、ギヤが回動し、複動機構の例えば駆動部が一方向に移動しても（複動しても）支持台は停止を維持する。
【００１９】
本発明の記憶媒体装着装置は、前記複動機構は、前記ギヤと直結して直線運動する駆動部と、該駆動部を前記支持台に係止する係止部と、該係止部と係合可能であり、前記駆動部の直線運動を吸収して前記支持台の停止を維持させる停止維持部と、前記駆動部を掛止する掛止爪が形成されてある掛止部と、を有しており、該掛止部は、前記支持台に回動可能に軸支されるとともに、前記記憶媒体の装着方向に付勢されてあることを特徴とする。
【００２０】
このような構成の本発明の記憶媒体装着装置では、係止部が支持台に駆動部を係止し、掛止部が駆動部を掛止し又は掛止を解除して、駆動部がギヤと直結して直線運動をし、支持台が移動する。
さらに、掛止部が駆動部の掛止を解除して、停止維持部が駆動部の直線運動を吸収して、支持台の停止を維持し、駆動部がギヤと直結して移動する。
したがって、本発明の記憶媒体装着装置では、記憶媒体をコネクタから離脱する際の力を必要とするところでは、複動機構により駆動部が移動しない（複動しない）ようにし、力を必要としないところでは、駆動部の掛止を解除して、駆動部が移動するように又は複動機構により駆動部が移動（複動）するようにする。
【００２１】
本発明の記憶媒体装着装置は、前記停止維持部は、前記駆動部に設けられており、前記支持台の移動方向に長い長孔であることを特徴とする。
【００２２】
このような構成の本発明の記憶媒体装着装置では、係止部が停止維持部と係合し、停止維持部の長孔の長さの範囲で支持台の停止と連動して駆動部の直線運動範囲を制限する。
【００２３】
本発明の記憶媒体装着装置は、前記滑動部及び前記支持台を一体的移動可能に支持するとともに、前記掛止部の掛止を解除する解除部が突設されたシャーシを有し、前記掛止部は、前記解除部に当接する段部を有し、前記支持台が移動する間、前記掛止爪が前記駆動部を掛止しており、前記段部が前記解除部に当接することにより前記掛止部が回動して前記駆動部の掛止を解除するようにしてあることを特徴とする。
【００２４】
このような構成の本発明の記憶媒体装着装置では、滑動部と一体とした支持台が移動する間の移動域で、掛止部が駆動部を掛止しており、掛止部の段部が解除部に当接して、掛止部が回動し駆動部の掛止を解除する。
【００２５】
本発明の記憶媒体装着装置は、前記シャーシは前記記憶媒体に接続されるコネクタを有しており、前記支持台を前記記憶媒体の取出方向に移動させて前記コネクタが外れるまで、前記掛止部が前記駆動部を掛止してあることを特徴とする。
【００２６】
このような構成の本発明の記憶媒体装着装置では、支持台がシャーシに対して滑動部と一体となって滑動し、支持台が記憶媒体の取出方向に移動してコネクタが外れるまで、掛止部が駆動部を掛止する。
【００２７】
本発明の記憶媒体装着装置は、前記複動機構は、前記支持台を前記記憶媒体の取出方向に移動させて前記コネクタが外れた後、前記支持台の移動に連動して前記掛止部を回動させて前記駆動部の掛止を解除するようにしてあることを特徴とする。
【００２８】
このような構成の本発明の記憶媒体装着装置では、支持台が記憶媒体の取出方向に移動してコネクタが外れた後、支持台の移動に連動して掛止部が回動し、駆動部の掛止を解除する。
【００２９】
本発明の記憶媒体装着装置は、前記複動機構は、前記駆動部を前記記憶媒体の装着方向に付勢してある弾性部を有しており、該弾性部は、前記記憶媒体のコネクタが外れている前記支持台の移動による負荷に打ち勝つ付勢力を有することを特徴とする。
【００３０】
このような構成の本発明の記憶媒体装着装置では、記憶媒体のコネクタが外れて脱着力がなくなった状態に対応して、弾性部が支持台の移動時の負荷に打ち勝ち、支持台が駆動部と一体で移動する。
【００３１】
本発明の記憶媒体装着装置は、前記支持台は、前記滑動部の該支持台に対する滑動域に設けられた底部と、該底部から延出して前記複動機構が配設された延出部とを有し、前記駆動部が前記延出部の略中央部に設けられていることを特徴とする。
【００３２】
このような構成の本発明の記憶媒体装着装置では、駆動部の駆動力が延出部の略中央で作用し、例えば延出部を両側部で摺動可能に軸支する案内軸に対して略均等に力が作用する。
【００３３】
本発明の記憶媒体装着装置は、前記シャーシは、イジェクトスイッチと、前記ギヤと係合可能で、前記イジェクトスイッチを作動させる作動レバーと、該作動レバーと連動して移動するイジェクトレバーと、該イジェクトレバーに突設されたピンと、を有し、前記支持台は、前記滑動部の滑動にロックをして該滑動部の滑動を禁止する禁止位置になるように付勢されたロックレバーを有し、前記支持台の移動と連動した前記作動レバーの移動により、前記イジェクトレバーが移動して、前記ピンが前記ロックレバーと係合して前記ロックを解除するようにしており、前記アクチュエータの一方向への作動が前記ギヤにより伝達されて前記作動レバーが移動して、前記イジェクトスイッチを作動させることにより、前記アクチュエータが逆方向に作動し、前記作動レバーの逆移動と連動して前記イジェクトレバーが逆移動して前記ピンと前記ロックレバーとの係合を解き、付勢力により前記ロックレバーが前記禁止位置に復帰するようにしてあることを特徴とする。
【００３４】
このような構成の本発明の記憶媒体装着装置では、アクチュエータの一方向への作動をギヤが伝達して作動レバーが移動し、イジェクトスイッチが作動して、アクチュエータが逆方向に作動し、作動レバーの逆移動と連動してイジェクトレバーが逆移動し、ピンとロックレバーとの係合を解き、付勢力によりロックレバーが禁止位置に復帰し、元の位置に戻る。
【発明の効果】
【００３５】
本発明の記憶媒体装着装置は、ギヤに直結して駆動部を駆動するので、滑動部及び支持台を一体として滑動動作させるためのギヤの減速比を小さくすることができ、一体とした滑動部及び支持台の動作スピードが速くなるという効果を有する。
さらに、本発明の記憶媒体装着装置は、複動機構を備えているので、例えばイジェクトモード、スタンバイモードなどの各モードの検出スイッチのオン及びオフ位置又は取り付け精度に左右されることがなく、一体とした滑動部及び支持台の動作の信頼性が高いという効果を有する。
【００３６】
本発明の記憶媒体装着装置は、記憶媒体をコネクタから離脱する際の力を必要とするところでは、複動機構により駆動部が複動しないようにでき、さらに、力を必要としないところでは、駆動部の掛止を解除して、駆動部を移動させるようにできる。
したがって、本発明の記憶媒体装着装置は、駆動部の駆動力が効果的に係止部を介して支持台に伝達され、移動させることができるという効果を有する。
さらに、本発明の記憶媒体装着装置は、駆動部の掛止を解除して、複動機構により駆動部が複動するようにできるので、ギヤの回転中に支持台を移動させずに、ギヤの回転を例えばギヤで駆動されるスイッチ検出レバーを駆動することができるという効果を有する。
【００３７】
本発明の記憶媒体装着装置は、停止維持部が長孔であるので、長孔の長さの範囲で駆動部の直線運動範囲、したがって、駆動部の移動範囲（複動範囲）及び移動時間（複動時間）を決定することができるという効果を有する。
【００３８】
本発明の記憶媒体装着装置は、支持台が移動する間の移動域で、掛止部が駆動部の掛止を維持し、解除部が当接する段部を有する掛止部の構造に基づいて、駆動部の掛止を解除することができるという効果を有する。
【００３９】
本発明の記憶媒体装着装置は、コネクタの脱着力に応じて駆動部を複動させないようにできるので、コネクタの脱着力が作用している間は、駆動部を係止部及び掛止部で支持台に確実に係合させることができ、支持台を効果的に取出方向に移動させることができるという効果を有する。
【００４０】
本発明の記憶媒体装着装置は、コネクタの脱着力に応じて駆動部を複動させるようにできるので、コネクタの脱着力が作用しない間は、駆動部を係止部だけで支持台に係合させることができ、支持台を効果的に移動させることができるという効果を有する。
【００４１】
本発明の記憶媒体装着装置は、コネクタの脱着力がなくなった状態に対応して、支持台の移動時の負荷に打ち勝つ付勢力を有する弾性部としているので、弾性部の付勢力で支持台が駆動部と一体で移動することができるという効果を有する。
【００４２】
本発明の記憶媒体装着装置は、駆動力が延出部の略中央部に作用するので、支持台の動きが滑らかになるという効果を有する。
【００４３】
本発明の記憶媒体装着装置は、一体となった滑動部及び支持台の排出中に支持台のロックレバーが滑動部のロックを解除した後、アクチュエータが逆方向に作動することにより、作動レバーの移動にイジェクトレバーが連動してロックレバーを解除するので、ロックレバーを元のロック可能位置に戻すことができるという効果を有する。
【発明を実施するための最良の形態】
【００４４】
以下、図面に基づき、本発明による記憶媒体装着装置の好適な実施の形態を説明する。
図１は本実施の形態に係る記憶媒体装着装置の裏面から視た外観斜視図である。図２は本実施の形態に係る記憶媒体装着装置の内部構成を示す斜視図である。
本実施の形態では、記憶媒体としてｉＶＤＲ規格のリムーバブルハードディスク（以下、単に「ｉＶＤＲ」という）を例に挙げて説明する。
【００４５】
記憶媒体装着装置は、支持台であるスライドシャーシ４と、滑動部であるスライダー６という二重構造のトレイを備えるもので、シャーシであるベースシャーシ２に対してスライド可能に設けられた支持台であるスライドシャーシ４と、スライドシャーシ４に対してスライド可能に支持された滑動部であるスライダー６とを備え、ＰＷＢシャーシ３に設けられているコネクタ８（図１３参照）に記憶媒体であるｉＶＤＲ１０のコネクタ接続部が接続される。スライドシャーシ４及びスライダー６は、同じ方向にスライドするようになっており、スライダー６は、スライドシャーシ４に、後述するロック機構６０によりロックされている。
スライドシャーシ４は、底部であるスライドベース３２と、延出部であるシャーシ摺動部３６とを有する（図５参照）。
なお、後述する図７に示す部品以外は全て、ベースシャーシ２に取り付けられており、図２、図８、図９、図１３、図１４、図１７及び図１８ではベースシャーシを省略した。
【００４６】
シャーシ摺動部３６は、三箇所に設けられた長孔５８に、ベースシャーシ２に立設されたスライドシャーシガイド軸５３、５５、５７で摺動可能に支持され、それぞれのスライドシャーシガイド軸５３、５５、５７は、止め輪がされて抜け出ないようにしてある。
長孔５８は、シャーシ摺動部３６の両縁部にｉＶＤＲ１０の取出方向に沿って、つまりシャーシ摺動部３６のスライド方向と同方向に設けられており、一方には連設された二つの長孔が、他方には一つの長孔が設けられている。
長孔の長さの範囲でシャーシ摺動部３６の摺動距離、即ちスライドシャーシ４の摺動距離を制限している。
【００４７】
さらにシャーシ摺動部３６は、アクチュエータであるモータ１２で駆動されるギヤであるギヤ機構１４の回動を直線運動に伝達する駆動部であるラック４２と、ラック４２の動きをロックする回動可能な掛止部であるラックロックレバー４４とを備え、ラック４２及びラックロックレバー４４は、それぞれ一端がシャーシ摺動部３６に係止された弾性部である複動バネ４６と、バネ４８とにより付勢されている。
【００４８】
このように、スライドシャーシ４は、ベースシャーシ２に対してモータ１２（アクチュエータ）で駆動されるギヤであるギヤ機構１４により移動可能になっており、スライドシャーシ４の移動に伴ってスライダー６も移動する。
なお、図２中、符号１はイジェクトボタンを示し、符号１００は自動ロック解除機構を示す。
【００４９】
図３は本実施の形態に係る二重構造のトレイを示す斜視図である。図４は図３で示した本実施の形態に係るトレイの裏面斜視図である。図５は本実施の形態に係るスライドシャーシの斜視図である。図６は本実施の形態に係るスライダーの斜視図である。
図３及び図６に示すように、スライダー６は、記憶媒体であるｉＶＤＲ１０を搭載するスライダー本体２５を囲むようにトレイカバー２７と、後端壁２９と、両側部をなすスライダーガイド２２、２３とを備える。
スライダーガイド２２、２３は、図４に示すように、スライドシャーシ４の両側部をなす一対のスライドガイド２４、２６にスライド可能に支持されている。
また、図６に示すように、一方のスライダーガイド２２には、スライドガイド２４から抜けでないようにスライダーストッパ２８が取り付けられ、他方のスライダーガイド２３には、ロックレバー６４に係合してスライドシャーシ４をロックするロックピン２０を立設し、スライドガイド２６から抜け出ないようにスライダーストッパ３０を設けてあるロックアングル２１が取り付けられている。
【００５０】
図４及び図５に示すように、スライドシャーシ４は、両側部をなすスライドガイド２４、２６と、スライダー本体２５の滑動域であるスライドベース３２（底部）と、スライドベース３２から当接壁３４を介して設けられた延出部であるシャーシ摺動部３６とを備える。スライドベース３２とシャーシ摺動部３６との段部をなす当接壁３４は、略中央にコネクタ８が出入り可能な開口部３８を有し、スライダー６の後端壁２９と当接して、スライダー６の装着方向に対するストッパーの役目を果たす。
【００５１】
ラックロックレバー４４は、略矩形状であり、矩形の一方の略二辺を囲う凸部４７と、この凸部４７と段部を介して形成された平坦な棚部４３とを有し、掛止するようにバネ４８で付勢され、ピン５９で回動可能にシャーシ摺動部３６に軸支され、ラック４２と係合可能になっている。ラック４２及びラックロックレバー４４の係合部は、ラック４２側がピン状に、ラックロックレバー４４が爪状に形成されている（図１５を参照）。棚部４３は後述するピン４５の移動域であり、ピン４５は凸部４７と係合可能になっている（図１６参照）。
ラック４２は、移動方向に沿った停止維持部である長孔４９を例えば三個有し、シャーシ摺動部３６にて各長孔４９にラック４２を摺動可能に支持して立設された係止部であるピン５１、５２、５４により摺動距離が制限されている。中央の長孔４９に立設するピン５２には、止め輪がされ、ラック４２がピン５１、５２、５４から抜け出ないようにしてある。
【００５２】
ラック４２の長孔４９にピン５１、５２、５４が係止して、ラック４２の直線運動に伴いシャーシ摺動部３６が摺動可能にしてあり、長孔４９の長さの範囲でラック４２だけが摺動可能にしてある。
したがって、長孔４９の長さの範囲でラック４２は移動するが、シャーシ摺動部３６は停止したままになるようにしてある。
【００５３】
本実施の形態では、メインカム１０８の回転により（図１６を参照）ラック４２が移動しても、シャーシ摺動部３６が摺動しないようにしてある複動機構５０を設け、ｉＶＤＲ１０をコネクタ８から離脱する際の力を必要とするところでは、ラックロックレバー４４でラック４２をロックして複動しないようにし、力を必要としないところでは、ラックロックレバー４４のロックを解除して、ラック４２の長孔４９の長さ分だけラック４２を摺動可能にして、ラック４２の複動が可能なようにしてある。
【００５４】
一方のスライドガイド２６は、スライダー６をロックするロック機構６０を備える（図５参照）。ロック機構６０は、スライドガイド２６にバネ６２で付勢され回動可能に設けられたロックレバー６４によって、スライダー６の他方のスライダーガイド２３に立設されたロックピン２０と係合してロックするようにしてある。
図４及び図５に示すように、他方のスライダーガイド２３の端部は、スライダー複動レバー６５に設けられたスライダー複動バネ６６によりスライドシャーシ４に対して記憶媒体の排出方向に付勢されている。
なお、図４及び図５中、符号５６はギヤ機構１４のメインカムが位置する開口部を示し、６８はローディングエンドモードを検出するためのＬＥモード検出フォロアを示す。このＬＥモード検出フォロア６８は、シャーシ摺動部３６の裏面にてローディングエンドスイッチ８４に対応する位置に設けられており（図７参照）、コネクタ８が出入りする開口部３８の近傍にある。
【００５５】
図７は本実施の形態に係るＰＷＢシャーシを示す斜視図である。
ＰＷＢシャーシ３には、ｉＶＤＲ１０のコネクタ接続部と接続されるコネクタ８を固定したコネクタ基板７２が配設されている。コネクタ基板７２は、外部の基板と連結するコネクタ７４と、モータ用コネクタ７６と、イジェクトボタン基板９０を結線するためのコネクタ７８とを備え、所定位置にローディングスタートスイッチ８２、ローディングエンドスイッチ８４、イジェクトスイッチ８６及びスタンバイスイッチ８８を有する。コネクタ７８とイジェクトボタン基板９０とは、フラットケーブル９２で接続されている。
さらにコネクタ基板７２を間にして平行に、スライドシャーシ４を案内して移動範囲を制限するスライドシャーシガイド７３及びスライドシャーシガイド７５が設けられている。
なお、図７中、符号１はイジェクトボタンを示す。
【００５６】
次に、本実施の形態に係るギヤ機構を説明する。
図８は本実施の形態に係る記憶媒体装着装置における斜視図である。図９は本実施の形態に係るギヤ機構の要部斜視図である。
なお、図８は後述するスタンバイモードを示す。
【００５７】
本実施の形態に係るギヤ機構１４は、モータ１２の動力が、モータ軸に圧入されているウォーム１０２、ウォームホイル１０４、中継ギヤ１０６及びメインカム１０８と伝達されるようにしてある。メインカム１０８の回転は、ラック４２により直線運動に変換され、コネクタ基板７２に対して、即ちコネクタ基板７２を固定してあるＰＷＢシャーシ３に対してスライドシャーシ４を摺動可能にしてある。
【００５８】
さらにモータ１２の駆動でギヤ機構１４により自動ロック解除機構１００を動作させてロック機構６０を解除するようにしてある。
図９に示すように、自動ロック解除機構１００は、モータ１２及びギヤ機構１４のメインカム１０８により駆動される作動レバーであるスイッチ検出レバー１１０と、連結レバー１１２と、ロック機構６０のロックを解除するイジェクトレバー１１４とを備える。連結レバー１１２は、スイッチ検出レバー１１０とイジェクトレバー１１４とを連結してある。
【００５９】
連結レバー１１２は、略三角形状のプレートであり、頂角近傍に連結レバー軸１１６を支点として回動可能に支持されている。一方の底角近傍には、スイッチ検出レバー１１０に立設された連結ピン１１１を遊嵌する溝１１３を有し、他方の底角近傍には、イジェクトレバー１１４に立設された連結ピン１１５を遊嵌する溝１１７を有する（図１０を参照）。
イジェクトレバー１１４は、連設された長孔１１８、１２０にイジェクトレバーガイド軸１１９、１２１で摺動可能に支持されており、両イジェクトレバーガイド軸１１９、１２１の間にあって、長孔１２０近傍にピンであるスライドシャーシロック解除軸１２２が設けられている。
【００６０】
スライドシャーシロック解除軸１２２は、イジェクトレバー１１４が摺動したとき、スライドシャーシ４に設けられたロック機構６０のロックレバー６４と係合して、ロックレバー６４とロックピン２０との係合を解除して、ロック機構６０のロックを解除するものである。長孔１１８、１２０の長さの範囲でイジェクトレバー１１４の摺動範囲を制限してある。
なお、図９は矢印で示すＢ及びＣ方向に摺動完了した状態を示す。
【００６１】
図１０は本実施の形態に係るギヤ機構裏面の斜視図である。図１１は本実施の形態に係るメインカム裏面の斜視図である。図１２は本実施の形態に係るスイッチ検出レバーの斜視図である。
なお、図１０はコネクタ基板を省略して各部品又は部材との位置関係を示し、図１１及び図１２はモータ及び中継ギヤとメインカム又はスイッチ検出レバーとの位置関係を示し、スライドシャーシ、コネクタ基板等を省略した。
【００６２】
スイッチ検出レバー１１０は、同方向に設けられた長孔１３２、１３４、１３６にてそれぞれメインカム軸１４０、スライドシャーシガイド軸５７及び検出レバーガイド軸１４４で摺動可能に軸支されている。
さらに図１１に示すメインカム１０８のカム溝１０９と係合するカムフォロア１４６と、コネクタ基板７２に設けられたイジェクトスイッチ８６及びスタンバイスイッチ８８間を移動して当接することにより（図７及び図１０を参照）、それぞれのスイッチをオンするスイッチ検出フォロア１４８が設けられている。スイッチ検出フォロア１４８がイジェクトスイッチ８６及びスタンバイスイッチ８８のそれぞれと離れるとスイッチがオフとなる。
メインカム１０８のカム溝１０９は、メインカム１０８の中心からの距離が徐々に離れるように形成された略渦巻き型の溝であり、カム溝１０９の一端及び他端はメインカム１０８の中心を挟む位置で略対向している。
【００６３】
スイッチ検出レバー１１０は、長孔１３２、１３４、１３６の長さの範囲で摺動範囲が制限されており、メインカム１０８の回転によりカム溝１０９と係合するカムフォロア１４６が駆動されると、メインカム軸１４０が長孔１３２に沿って摺動することにより、スイッチ検出レバー１１０が各長孔１３４、１３６に沿って摺動し、連結レバー１１２を介してイジェクトレバー１１４を摺動するようにしてある。
【００６４】
次に、本実施の形態に係る記憶媒体装着装置の動作について説明する。
記憶媒体装着装置は、図８を参照して、先ず、記憶媒体のｉＶＤＲ１０を装着したスライダー６を手動でスライドシャーシ４に対して所定位置まで（図８で示す位置）スライドし、ロック機構６０によりスライダー６をスライドシャーシ４にロックする。
このとき、スライダー６の後端壁２９とスライドシャーシ４の当接壁３４とは当接し、スライダー６とスライドシャーシ４とはロック機構６０により一体となっている。
【００６５】
図１３は本実施の形態に係る記憶媒体装着装置のローディングエンドモードを示す斜視図である。なお、装着されているｉＶＤＲは省略した。
スライダー６をスライドシャーシ４に対して当接させた後、モータ１２及びギヤ機構１４によりスライダー６及びスライドシャーシ４が一体としてコネクタ基板７２に対して、即ちＰＷＢシャーシ３に対して自動的にスライドし（図１３の矢印Ａ方向）、スライダー６に装着されたｉＶＤＲ１０のコネクタ接続部をＰＷＢシャーシ３のコネクタ基板７２に設けられているコネクタ８に接続し、装着が完了する。
このとき、スライドシャーシ４裏面に設けられているＬＥモード検出フォロア６８がコネクタ基板７２に実装されたローディングエンドスイッチ８４を押すことによりローディングエンドモードを検出し（図９参照）、モータ１２が止まる。
このようにして、本実施の形態の記憶媒体装着装置のローディングエンドモードに移行する。
【００６６】
図１４は本実施の形態に係る記憶媒体装着装置のアンローディング時のスタンバイモードを示す斜視図である。図１５は本実施の形態に係るラックロックレバーの動作を示す斜視図である。
ローディングエンドモードからスタンバイモードへ移行するには、先ず、イジェクトボタン１を押すと、モータ１２が起動してギヤ機構１４を駆動することによりメインカム１０８が回転し、ピン５１、５２、５４と係合するラック４２が移動して、シャーシ摺動部３６が長孔５８に沿って摺動し、即ちスライドシャーシ４が長孔５８に沿って摺動し、例えば１２ｍｍ移動して停止する。
【００６７】
このとき、１２ｍｍの移動量のうち、始めの８ｍｍは、図１５に示すように、ラックロックレバー４４とラック４２が係合した状態（図１５で丸印で囲んだ部分を参照）、つまり複動しない状態で摺動し、ｉＶＤＲ１０のコネクタ接続部がコネクタ基板７２のコネクタ８から抜ける。
なお、図１５中、符号４５は記憶媒体装着装置のベースシャーシ２に立設されたピンであり、ラックロックレバー４４の凸部４７と係合可能になっている。
【００６８】
ところで、コネクタの脱着力は、単位面積当たり２ｋｇ以上の荷重が必要で、ラック４２の複動が効いた状態、つまり、ラックロックレバー４４が解除され、ラック４２の長孔４９の長さだけ摺動可能な状態にあって、複動バネ４６で付勢力が作用可能な状態では、その荷重に打ち勝つ複動バネ４６の荷重が必要になり、複動バネ４６が大きくなる。
さらにバネの荷重がコネクタの脱着力に打ち勝つまで複動バネ４６は伸び、打ち勝つと同時に複動バネ４６にたまった荷重が開放されるためｉＶＤＲ１０を搭載したスライダー６及びスライドシャーシ４が飛び出る。
したがって、本実施の形態では、図１５に示すように、ラック４２の複動をラックロックレバー４４で禁止し（図１５の丸印で囲った部分を参照）、コネクタ８が抜けるまでラック４２の複動をさせないようにしてある。
【００６９】
図１６は本実施の形態に係る複動機構５０を示す外観図である。
移動量１２ｍｍのうち８ｍｍ移動してコネクタ８の接続が外れ、残り４ｍｍの距離をスライドシャーシ４が摺動していくと、スライドシャーシ４とともにラック４２及びラックロックレバー４４が移動していき、ピン４５が移動域の棚部４３を移動してラックロックレバー４４の凸部４７の段部と当接し、ラックロックレバー４４がピン５９を軸として回転して、ラックロックレバー４４がラック４２のロックを解除し始め、移動量が１２ｍｍに達したとき完全に解除する（図１６の丸印で囲った部分を参照）。
【００７０】
このように、本実施の形態では始めの８ｍｍの移動量でｉＶＤＲ１０のコネクタ接続部はコネクタ８から抜けているため（図１３及び図１４参照）、スライドシャーシ４の摺動による負荷は少なく、その負荷に打ち勝つ程度の複動バネ４６の荷重としているので、スライドシャーシ４はラック４２と一体で摺動する。
なお、スライドシャーシ４の移動量は１２ｍｍに設定されており、それ以上は動かないようにしてある。
したがって、図１６に示すラック４２とラックロックレバー４４との係合が解除された状態で、スライドシャーシ４は停止し、イジェクトモードに移行する。
【００７１】
図１７は本実施の形態に係るイジェクトモードを示す斜視図である。
スライドシャーシ４が１２ｍｍ移動して停止したとき、ラックロックレバー４４がラック４２から外れており、さらにメインカム１０８が回転すると、ラック４２が長孔４９に沿って摺動し（図１６参照）、ラック４２が移動する間に、メインカム１０８のカム溝１０９と係合してあるスイッチ検出レバー１１０のカムフォロア１４６がカム溝１０９に沿って摺動する（図１０、図１１及び図１２参照）。
そうすると、スイッチ検出レバー１１０が、長孔１３２、１３４、１３６に沿って、それぞれメインカム軸１４０、検出レバーガイド軸１４４及びスライドシャーシガイド軸５７まで摺動する（図９のＢ方向）。このとき、スイッチ検出フォロア１４８がイジェクトスイッチ８６を押す（図１０及び図１２参照）。
【００７２】
スイッチ検出レバー１１０の摺動に連動して連結レバー１１２が回動し、イジェクトレバー１１４が長孔１１８、１２０に沿って摺動し、スライドシャーシロック解除軸１２２がロックレバー６４と当接してロックを解除する（図９のＣ方向）。
なお、図９及び図１０はスイッチ検出レバー１１０及びイジェクトレバー１１４の摺動が完了してロック機構６０のロックを解除した状態を示す。
【００７３】
そして、ｉＶＤＲ１０の取出位置に向けて、スライダー複動バネ６６の付勢力によりスライドシャーシ４に対してスライダー６が摺動し（図４及び図５を参照）、イジェクトモードになる（図１７）。
【００７４】
スイッチ検出レバー１１０が摺動して、スイッチ検出フォロア１４８がイジェクトスイッチ８６を押したとき、イジェクトモードを検出する（図１０参照）。イジェクトモードを検出すると、モータ１２が反転起動し、スイッチ検出レバー１１０は逆方向に摺動する（図９の矢印Ｂと逆方向）。
スイッチ検出レバー１１０の逆方向の摺動に連動して連結レバー１１２が反転し、イジェクトレバー１１４が逆方向に摺動し（図９の矢印Ｃと逆方向）、ロックレバー６４との係止を解除して、ロックレバー６４がバネ６２の付勢力により元の位置に復帰する（図５参照）。
【００７５】
スイッチ検出レバー１１０が逆方向に摺動していくと、スイッチ検出レバー１１０に設けてあるスイッチ検出フォロア１４８がスタンバイスイッチ８８を押して（図１０参照）、スタンバイモードを検出し、モータ１２が止まる。
以上のようにして、本実施の形態に係る記憶媒体装着装置は、ｉＶＤＲ１０をアンローディングする。
【００７６】
次に、ｉＶＤＲをローディングする動作について説明する。
図１８は本実施の形態に係る記憶媒体装着装置のローディング時のスタンバイモードを示す一部斜視図である。
スライドシャーシ４及びスライダー６に設けてあるそれぞれのスライダー複動バネ６６及びスライダー複動レバー６５により（図４及び図５参照）、スライドシャーシ４に対して飛び出ているスライダー６にｉＶＤＲ１０を装着し（図８及び図１７を参照）、手動でスライダー６をスライドシャーシ４に対してスライドし（図１８の矢印Ａ方向）、スライダー６のスライダーガイド２２、２３がスライドシャーシ４のスライドガイド２４、２６に対してスライドしていくと、スライダーガイド２３のロックピン２０（図６参照）がロックレバー６４に当接し、ロックレバー６４がロックバネ６２に抗して回転して、ロックレバー６４がロックピン２０と係合してロックする。このときスライダー６の後端壁２９とスライドシャーシ４の当接壁３４とが当接し、当接壁３４はスライダー６のストッパーの役目を果たす（図５及び図６参照）。
【００７７】
ロック機構６０によりロックして一体となったスライドシャーシ４及びスライダー６を２ｍｍ程度押し込んでスライダー６が摺動すると（「ロックのオーバーストローク」という）、一方のスライダーガイド２２の後端がコネクタ基板７２のローディングスタートスイッチ８２を押す（図７及び図９参照、図１８のア部）。
【００７８】
ローディングスタートスイッチ８２のオンにより、スライドシャーシ４及びスライダー６のロックを検出して、モータ１２が起動し、一体となったスライドシャーシ４及びスライダー６が、図１８の矢印Ａ方向に摺動する。スライドシャーシ４及びスライダー６が１２ｍｍ移動して、ローディングエンドモードに移行する（図１３参照）。
なお、前述したように、スライドシャーシ４裏面に設けられているＬＥモード検出フォロア６８がコネクタ基板７２に実装されたローディングエンドスイッチ８４を押すことによりローディングエンドモードを検出し、モータ１２が止まる。
以上のようにして、本実施の形態に係る記憶媒体装着装置は、ｉＶＤＲ１０をローディングする。
【００７９】
このような構成により、本実施の形態では、メインカムにより直接ラックを駆動するので、スライダー及びスライドシャーシ（トレイ）を一体としてスライド動作させるためのギヤ列の減速比を小さくすることができ、トレイの動作スピードが速い。
また本実施の形態では、複動機構を備えているので、各モードの検出スイッチのオン及びオフ位置又は取り付け精度に左右されることがなく、トレイ動作の信頼性が高い。
【００８０】
なお、本実施の形態では、記憶媒体としてｉＶＤＲを装着するものであるが、これに限るものではなく、他の記憶媒体を装着する装着装置に関しても同様の構成を適用することが可能である。
【図面の簡単な説明】
【００８１】
【図１】本実施の形態に係る記憶媒体装着装置の裏面から視た外観斜視図である。
【図２】本実施の形態に係る記憶媒体装着装置の内部構成を示す斜視図である。
【図３】本実施の形態に係る二重構造のトレイを示す斜視図である。
【図４】図３で示した本実施の形態に係るトレイの裏面斜視図である。
【図５】本実施の形態に係るスライドシャーシの斜視図である。
【図６】本実施の形態に係るスライダーの斜視図である。
【図７】本実施の形態に係るＰＷＢシャーシを示す斜視図である。
【図８】本実施の形態に係る記憶媒体装着装置における斜視図である。
【図９】本実施の形態に係るギヤ機構の要部斜視図である。
【図１０】本実施の形態に係るギヤ機構裏面の斜視図である。
【図１１】本実施の形態に係るメインカム裏面の斜視図である。
【図１２】本実施の形態に係るスイッチ検出レバーの斜視図である。
【図１３】本実施の形態に係る記憶媒体装着装置のローディングエンドモードを示す斜視図である。
【図１４】本実施の形態に係る記憶媒体装着装置のアンローディング時のスタンバイモードを示す斜視図である。
【図１５】本実施の形態に係るラックロックレバーの動作を示す斜視図である。
【図１６】本実施の形態に係る複動機構を示す斜視図である。
【図１７】本実施の形態に係るイジェクトモードを示す斜視図である。
【図１８】本実施の形態に係る記憶媒体装着装置のローディング時のスタンバイモードを示す一部斜視図である。
【符号の説明】
【００８２】
２  ベースシャーシ（シャーシ）
４  スライドシャーシ（支持台）
６  スライダー（滑動部）
８  コネクタ
１０  ｉＶＤＲ（記憶媒体）
１２  モータ（アクチュエータ）
１４  ギヤ機構（ギヤ）
３２  スライドベース（底部）
３６  シャーシ摺動部（延出部）
４２  ラック（駆動部）
４４  ラックロックレバー（掛止部）
４６  複動バネ（弾性部）
４９  長孔（停止維持部）
５０  複動機構
５１、５２、５４  ピン（係止部）
６０  ロック機構
６４  ロックレバー
８６  イジェクトスイッチ
１１０  スイッチ検出レバー（作動レバー）
１１４  イジェクトレバー
１２２  スライドシャーシロック解除軸（ピン）
１４８  スイッチ検出フォロア
【図１】
2008097674.tif 000003
【図２】
2008097674.tif 000004
【図３】
2008097674.tif 000005
【図４】
2008097674.tif 000006
【図５】
2008097674.tif 000007
【図６】
2008097674.tif 000008
【図７】
2008097674.tif 000009
【図８】
2008097674.tif 000010
【図９】
2008097674.tif 000011
【図１０】
2008097674.tif 000012
【図１１】
2008097674.tif 000013
【図１２】
2008097674.tif 000014
【図１３】
2008097674.tif 000015
【図１４】
2008097674.tif 000016
【図１５】
2008097674.tif 000017
【図１６】
2008097674.tif 000018
【図１７】
2008097674.tif 000019
【図１８】
2008097674.tif 000020